(57)【特許請求の範囲】
【請求項１】
駆動源と接続されたハンドルパイプに作業者が把持可能に取り付けられるとともに、前記駆動源の駆動を制御するスイッチが配設される携帯型作業機用のグリップを備えた携帯型作業機において、
前記携帯型作業機用のグリップは、把持部と、前記ハンドルパイプが下方より挿入される挿入部と、前記ハンドルパイプと反対側の上面においてスイッチが取り付けられるスイッチ取付穴と、前記スイッチ取付穴の周囲に立設される囲い部とが、弾性部材により一体に形成され、前記囲い部は、前記スイッチ取付穴の周囲における、前記駆動源側が開放され、前記駆動源と反対側が前記スイッチより高く形成され、前記スイッチは、前記駆動源と前記囲い部とに接する平面より下方に配設されることを特徴とする携帯型作業機。
【請求項２】
前記スイッチ取付穴の内壁に、内部空間に向けて突出する凸部が形成される、
ことを特徴とする請求項１に記載の携帯型作業機。
【請求項３】
前記スイッチ取付穴の底部には、前記スイッチが突き当たるスイッチ側段差部が形成され、
前記ハンドルパイプが挿入される挿入部には、前記ハンドルパイプが突き当たるハンドルパイプ側段差部が形成され、
スイッチ側段差部と、前記ハンドルパイプ側段差部とは、軸線方向に近接して位置する、
ことを特徴とする請求項１もしくは請求項２に記載の携帯型作業機。
【請求項４】
前記スイッチ取付穴の軸線は、前記ハンドルパイプの挿入部の軸線に対して傾斜して設けられている、
ことを特徴とする請求項１乃至請求項３のうち何れか一項に記載の携帯型作業機。
【請求項５】
前記スイッチ取付穴と前記ハンドルパイプ挿入穴が、連通して設けられている、
ことを特徴とする請求項１乃至請求項４のうち何れか一項に記載の携帯型作業機。
【請求項６】
前記把持部の上下には、傾斜面を有して突出する突出部が形成されている、
ことを特徴とする請求項１乃至請求項５のうち何れか一項に記載の携帯型作業機。
【発明の詳細な説明】
【技術分野】
【０００１】
本発明は、刈払機等の携帯型の作業機を保持するためのグリップを備えた携帯型作業機に関するものである。
【背景技術】
【０００２】
従来の作業機用グリップにおいて、作業時の握り感覚を向上させるため、または作業者に振動が伝わるのを抑制するため、プラスチック等の硬質の樹脂材で形成したものをエラストマ等の弾性体により表面を覆っている。このようなグリップでは、例えば特許文献１に示すように、プラスチックのみ、またはプラスチックにエラストマを二層成形したハンドルにスイッチボックスをネジ留めにより固定している。
【先行技術文献】
【特許文献】
【０００３】
【特許文献１】特開平１１−２５３０２５号公報
【発明の概要】
【発明が解決しようとする課題】
【０００４】
ところで、特許文献１の技術では、分割したプラスチックによる成型品をネジ留めし、更にエラストマを付与するため、部品点数が増加し、製造工程が複雑になるという課題がある。
【０００５】
本発明は、上記課題に鑑みてなされたものであり、部品点数を少なくし、原価を抑えることができるとともに、製造工程を簡略化できる作業機用のグリップを備えた携帯型作業機を提供することを目的とする。
【課題を解決するための手段】
【０００６】
上記目的を達成するために、本発明にかかる携帯型作業機用グリップおよび携帯型作業用グリップを備えた携帯型作業機は、把持部と、前記ハンドルパイプが挿入される挿入部と、前記ハンドルパイプと反対側の他端においてスイッチが取り付けられるスイッチ取付穴とが、弾性部材により一体に形成されることを特徴とする。
【０００７】
また、前記スイッチ取付穴の内壁には、内部空間に向けて突出する凸部が形成されていてもよい。
【０００８】
また、前記スイッチ取付穴の底部には、前記スイッチが突き当たるスイッチ側段差部が形成され、
前記ハンドルパイプが挿入される挿入部には、前記ハンドルパイプが突き当たるハンドルパイプ側段差部が形成され、スイッチ側段差部と、前記ハンドルパイプ側段差部とは、軸線方向に近接した位置に形成されていることが望ましい。
【０００９】
また、前記スイッチ取付穴の軸線は、前記ハンドルパイプの挿入部の軸線に対して傾斜して設けられていることが望ましい。
【００１０】
また、前記スイッチ取付穴の周囲に、立設される囲い部を備えていてもよい。
【００１１】
また、前記スイッチ取付穴と前記ハンドルパイプ挿入穴が、連通して設けられていてもよい。
【００１２】
また、前記把持部の上下には、なだらかな傾斜面を有して突出する突出部が形成されていることが望ましい。
【発明の効果】
【００１３】
本発明によれば、駆動源と接続されたハンドルパイプに作業者が把持可能に取り付けられるとともに、前記駆動源の駆動を制御するスイッチが配設される携帯型作業機用のグリップにおいて、把持部と、前記ハンドルパイプが挿入される挿入部と、前記ハンドルパイプと反対側の他端においてスイッチが取り付けられるスイッチ取付穴とを弾性部材により一体に形成したことで、ネジ等部品点数が少なくなるので原価を抑えることが出来るとともに、作業工程を簡単化することが可能となる。また、グリップがエラストマのみ一部品なので、ネジ座やパーツ合わせ面が手に当たる不快感が無く、作業性を向上させることが可能となる。
【図面の簡単な説明】
【００１４】
【図１】本発明に係る作業機用グリップを搭載した刈払機の斜視図。
【図２】図１の刈払機のグリップ部分の断面図。
【図３】図２のグリップの分解断面図。
【図４】図２のグリップの外観上面図。
【図５】図２のグリップの外観側面図。
【図６】図５の刈払機を逆さにした状態の図。
【発明を実施するための形態】
【００１５】
以下、本発明の実施形態を添付の図１乃至図６に沿って説明する。図１は刈払機１０１を示す斜視図である。図１に示すように、刈払機１０１（携帯用作業機）は中空のパイプ状の操作桿２（竿部）を備え、操作桿２の一方の端部には回転刃３（作業用工具）が回転可能にギアケース４を介して取り付けられる。また、操作桿２の他端には回転刃３を回転させるための回転駆動力を発生させるエンジン１０が収納された駆動部５が取り付けられる。また、操作桿２の中央付近にはアルミニウム合金等からなるＵ字状の中空パイプであるハンドルパイプ２０が取付部２３を介して取り付けられている。ハンドルパイプ２０には、エンジン側からみて右側のパイプ端部２１と左側のパイプ端部にはそれぞれグリップ１、７が設けられている。右側の端部２１には、作業者が把持してエンジン１０の回転数を調整するためのスロットルレバー６や作動中のエンジン１０を停止するためのストップスイッチ３等が設けられた操作グリップ１０が設けられる。作業者はグリップ１、７を把持して刈払機１０１を保持すると共に、把持した状態でスイッチ３及びスロットルレバー６が操作可能となっている。
【００１６】
図２は、刈払機１０１のハンドルパイプ２０において、右側のパイプ端部２１に取り付けられる操作グリップ１０の一部断面図である。ハンドルパイプ２０のグリップ１０の下方には図示しないスロットルレバー６が取り付けられる。
【００１７】
グリップ１０は、ゴム・エラストマー等の弾性体成形品として一体に形成されており、下方からハンドルパイプ２０が挿入されると共に、上方からスイッチ３０が取り付けられている。グリップ１０の中心には、軸線方向に貫通した貫通穴１５が形成され、ハンドルパイプ挿入部１５ａと、スイッチ３０が取り付けられるスイッチ取付穴１５ｂが同軸上に位置し、連通している。ハンドルパイプ２０の挿入部１５ａは軸線ａを有し、スイッチ取付穴１５ｂは軸線ｂを有し、軸線ａは軸線ｂに対して操作部３１が後述する掌側把持部１１ａの側にくるよう約１０度程傾いて形成されている。
【００１８】
グリップ１０に嵌挿されるスイッチ３０は、公知のスイッチを用いることができ、シーソースイッチからなる操作部３１を操作することで、端子３３ａ、３３ｂから延びる図示しない配線がエンジン１０の点火コイルに接続され、点火プラグへの電力の供給を遮断可能に構成されている。
【００１９】
図３はグリップ１０を分解した展開図である。図３に示すように、軸線ｂに沿って上方から図の下方にスイッチ側凸部３２を押し込むことにより、グリップ側凹部１７を構成する壁部１７ａを弾性変形させて乗り越え、グリップ側凹部１７にスイッチ側凸部３２が嵌め合う位置まで挿入されることで、スイッチ３０はグリップに固定される。スイッチ３０はグリップ側凹部１７とスイッチ側凸部３２を嵌め込んだ状態で、スイッチ３０の底面部３５がグリップ１０に形成された段差部１６に突き当たるよう配設されている。また、グリップ３０の下方からは、開口部１５ｃおよび貫通穴１５を介して挿入されたハンドルパイプ２０が、端部２１の開口端２４が段差部１８に当接して位置決めされている。グリップ１０は、ハンドルパイプ２０が挿入され、開口端２４が段差部１８に突き当たった状態で、開口端２４の一部が段差部１６の角部の位置になるよう構成されている。即ち、段差部１６の近傍やスイッチ３０の底面部３５に近接して金属パイプ２０が位置するため、剛性が向上し、スイッチ３０を安定して保持することが可能となり、作業者が操作部３１を切り替え操作した際の操作性を向上させることができる。また、スイッチ３０の端子部３３ａ、３３ｂは、開口端２４からパイプ端部２１の内部に挿入されて位置されるため、パイプ内の空間を有効に利用しながら、グリップ１０の軸方向の厚みを抑えることが可能となっている。尚、グリップ１０の貫通穴１５は、パイプ２１と同じか若干小径となるような内径を有して形成されており、パイプ２０に押し込むことでグリップ１０はパイプ２０に対して確実に抜け止めされるよう構成されている。
【００２０】
図４はグリップ３０の上面図、図５はグリップ３０の側面図である。図４および図５に示すように、グリップ１０は、中心部が膨出した把持部１１が形成され、把持部１１の指側把持部１１ｂの上下には、上方側に向かって緩やかに傾斜しながら突出する突出部１２と、下方側の端部で緩やかに傾斜しながら突出する突出部１３が形成されている。これにより把持部１１を安定して保持することが可能であると共に、突出部１２、１３の緩やかな傾斜により指の可動範囲を十分に確保することが可能となっており、作業時に邪魔になることなく、スロットルレバー６の操作性を向上させることができる。作業者は、グリップ１０に対して、図の右側から掌側把持部１１ａ側に掌を位置させ、指側把持部１１ｂの膨出部を人差し指から小指で包むように指を回り込ませて握りこむことで安定して把持することができ、この状態で親指によってスイッチ３０の操作部３１の切り替え操作を行うことができる。
【００２１】
スイッチ部３０の近傍には、上方に突出する囲い部１４が周囲を覆うようコの字状に立設して形成されており、掌側把持部１１ａ側の突出部１９と共に、操作部３１の周囲に凹状空間を形成している。スイッチ部３０の操作部３１は、前記凹状空間内に位置し、外部からの不意な接触によりスイッチ部３０のＯＮ／ＯＦＦが切り替わることのないよう構成されている。このような囲い部１４により、操作部３１が不用意に操作されることを抑制することができるとともに、例えば図６に示すように回転刃３の交換作業において、刈払機１０１を逆さにしてハンドル２０の左右側グリップ１０、７が地面に当接するように接地させた場合でも、囲い部１４がスイッチ３０より先に地面に接触することで、衝撃からスイッチ３０を保護することができる。
【００２２】
このように構成された刈払機１０１によれば、プラスチックとスイッチボックスで構成される刈払機用ハンドルグリップのプラスチックをエラストマのみで一体に形成したことにより従来使用していたネジが不要になり、部品点数の削減が可能であるとともに金型代も抑えられることからハンドルグリップを安価に製造することができる。また、ネジやパーツの合わせ面が手に当たる不快感を低減することができる。
【００２３】
また、グリップ１０の内部とスイッチ３０の側面に凹凸形状１７、３２を設け、スイッチ３０を押し込むだけで容易に内装可能となっているとともに、噛み合わせることでグリップ１０から抜け出ないよう固定することができることで、より生産性を向上させることができる。
【００２４】
また、弾性体であるエラストマにスイッチ３０を直接取り付ける場合においても、グリップ１０内を通るパイプ２０をスイッチ３０の突き当て面として利用することでグリップ部１０の内部におけるスイッチ３０の配設状態をより確実に維持することができ、操作時にスイッチ３０がグリップ１０の内部に入り込んでしまうことがないため、操作性を向上することができる。更に、スイッチ３０をグリップ１０の軸線に対して傾斜して設けたことで、作業者がグリップ１０を把持した状態でスムーズに操作部１１を操作することができ、作業性を向上させることができる。
【００２５】
また、グリップの把持部１１の上下に緩やかに傾斜する突出部１２、１３を形成したことで、グリップ３０の握り心地を保ちつつ手指の可動範囲を広げ、操作性を向上させることができる。また、スイッチ３０を囲い部１４からなる突出部により覆ったことで刈払機１０１がどのような状態となっても、容易に押されないようにでき、例えば回転刃３の交換時等にスイッチ３０を地面等の接触から回避することができるとともに意図しないタイミングでの操作を抑制することができる。また、囲い部１４がスイッチ３０操作時に指に触れる恐れがあるため、パイプ端面２４とスイッチ３０の底面部３５に角度をつけ、スイッチ操作部３１を作業者側に傾かせることでＯＮ／ＯＦＦの操作性を向上させた。
【００２６】
以上、本発明を示す実施形態に基づき説明したが、本発明は上述の形態に限定されるものではなく、その趣旨を逸脱しない範囲内で種々の変更が可能である。例えば、本発明は上述の実施形態のように操作桿２の両端に駆動部５と回転刃３が設けられた刈払機１０１への適用に限られるものでは無く、例えば、背負い式の刈払機や、刈払機以外のポールソーやカルチベータ等のパイプに設けられたグリップ部を有する動力工具に適用することも可能である。
【符号の説明】
【００２７】
１  エンジン
２  操作棹
３  回転刃
４  ギヤケース
５  駆動源
６  スロットルレバー
１０  グリップ
１１  把持部
１２  突出部
１３  突出部
１４  囲い部
１５  貫通穴
１６  段差部
１７  凹部
１８  段差部
２０  ハンドルパイプ
３０  スイッチ
３１  操作部
１０１  刈払機
【図１】
0005724381.tif 000002
【図２】
0005724381.tif 000003
【図３】
0005724381.tif 000004
【図４】
0005724381.tif 000005
【図５】
0005724381.tif 000006
【図６】
0005724381.tif 000007